(57)【要約】【目的】より容易に且つ十全に所望のメールマガジンを検索し得る検索装置を提供することである。【構成】少なくとも１つのユーザ端末からの検索要求に応じて検索結果を提供する検索装置であり、予め登録された複数のメールマガジンを受信し、各々を個別に表す固有識別情報と共に該複数のメールマガジンを蓄積する。該蓄積されたメールマガジンの中から該検索要求に適合する少なくとも１つのメールマガジンを検索し、該検索された少なくとも１つのメールマガジンの各々の優先順位を決定し、この優先順位に従ってメールマガジンの固有識別情報を、例えば推薦メールマガジンとして該ユーザ端末に送信する。【選択図】  図１
2004234341.tif 000002
【特許請求の範囲】
【請求項１】
少なくとも１つのユーザ端末からの検索要求に応じて検索結果を提供する検索装置であって、
予め登録された複数のメールマガジンを受信し、各々を個別に表す固有識別情報と共に前記複数のメールマガジンを蓄積するメールマガジン蓄積手段と、
該蓄積されたメールマガジンの中から前記検索要求に適合する少なくとも１つのメールマガジンを検索するメールマガジン検索手段と、
該検索された少なくとも１つのメールマガジンの各々の優先順位を決定する優先順位決定手段と、
前記優先順位に従って、該検索された少なくとも１つのメールマガジンに対応する前記固有識別情報を前記検索結果として前記ユーザ端末に送信する検索結果送信手段と、
を含むことを特徴とする検索装置。
【請求項２】
前記メールマガジン検索手段は、前記ユーザ端末からの検索要求に含まれるキーワードを抽出し、前記複数のメールマガジンのタイトル、本文及びリンク先情報のうちの少なくとも１つにおける前記キーワードの出現に基づいて検索し、前記優先順位決定手段は、前記キーワードの出現頻度に応じて前記優先順位を決定することを特徴とする請求項１記載の検索装置。
【請求項３】
前記リンク先情報は、前記タイトル又は本文中に記載されたＵＲＬに対応するＷｅｂページに記載の情報を含むことを特徴とする請求項２記載の検索装置。
【請求項４】
新たに配信される新作メールマガジンを検知する検知手段を更に含み、前記メールマガジン蓄積手段は、前記新作メールマガジンを該蓄積されるべき複数のメールマガジンとして追加登録する手段を更に含むことを特徴とする請求項１記載の検索装置。
【請求項５】
前記検知手段は、新作メールマガジンを通知するメールの受信に応じてなすことを特徴とする請求項４記載の検索装置。
【請求項６】
前記検知手段は、新作メールマガジンを紹介するホームページの受信に応じてなすことを特徴とする請求項４記載の検索装置。
【請求項７】
前記検索結果送信手段は、検索結果のメールマガジンの名称と共に、前記検索の基礎となるタイトル、本文又はリンク先情報のうちの少なくとも１つの一部又は全部の内容を送信することを特徴とする請求項１記載の検索装置。
【請求項８】
前記リンク先情報は、前記タイトル又は本文中に記載されたＵＲＬに対応するＷｅｂページに記載の情報を含むことを特徴とする請求項７記載の検索装置。
【請求項９】
前記ユーザ端末からの検索要求に含まれるキーワードを累積して蓄積するキーワード蓄積手段と、該蓄積されたキーワードの各々の要求頻度を集計して集計結果を得る集計手段と、前記集計結果を外部に出力する集計結果出力手段と、を更に含むことを特徴とする請求項１記載の検索装置。
【請求項１０】
前記集計手段は、前記キーワードの各々に付された日時情報に基づいて、指定される期間について集計することを特徴とする請求項９記載の検索装置。
【発明の詳細な説明】
【０００１】
【発明の属する技術分野】
本発明は、ユーザの検索要求に応じて検索結果を提供する検索装置に関する。
【０００２】
【従来の技術】
ユーザが必要な情報をメールマガジンで得たいときに使われるサービスとして、既刊のメールマガジンに対して検索をなして必要な情報を提供する検索サービスが知られている。例えば、特開２００２−８２９５２号公報に開示される情報検索装置は、メールマガジンのタイトルのみならず、メールマガジン本文も検索対象とすることで、所望の既刊のメールマガジンの検索ができるとしている。
【０００３】
【発明が解決しようとする課題】
しかしながら上記構成の装置では、検索結果として表示される複数のメールマガジンの中からユーザが希望するキーワードがより多く登場するメールマガジンをユーザ自身が該検索結果を集計して選択する必要がある。また上記の構成では、メールマガジンのタイトルと本文のみを検索対象としているため、本文中にリンク先、即ち、他のＷｅｂページのＵＲＬ（Ｕｎｉｆｏｒｍ  Ｒｅｓｏｕｒｃｅ  Ｌｏｃａｔｏｒ）が記載されているだけで、本文中に当該キーワードが存在しないために検索されず、結果的にユーザにとって有意な情報が存在したにもかかわらず、これを看過してしまうという問題がある。
【０００４】
従って、本発明の目的は、より容易に且つ十全に所望のメールマガジンを検索し得る検索装置を提供することである。
【０００５】
【課題を解決するための手段】
本発明による検索装置は、少なくとも１つのユーザ端末からの検索要求に応じて検索結果を提供する検索装置であり、予め登録された複数のメールマガジンを受信し、各々を個別に表す固有識別情報と共に該複数のメールマガジンを蓄積するメールマガジン蓄積手段と、該蓄積されたメールマガジンの中から該検索要求に適合する少なくとも１つのメールマガジンを検索するメールマガジン検索手段と、該検索された少なくとも１つのメールマガジンの各々の優先順位を決定する優先順位決定手段と、該優先順位に従って、該検索された少なくとも１つのメールマガジンに対応する該固有識別情報を該検索結果として該ユーザ端末に送信する検索結果送信手段と、を含むことを特徴とする。
【０００６】
【発明の実施の形態】
本発明の実施例について添付の図面を参照して詳細に説明する。
＜第１の実施例＞
図１は、第１の実施例における検索装置１０の構成を示している。検索装置１０は、インターネット２０に接続される。インターネット２０には、ユーザ端末３０とメールマガジンサーバ４０とが接続される。本実施例においては、検索装置１０、ユーザ端末３０及びメールマガジンサーバ４０とはインターネット２０により相互に接続され通信を可能としているが、他の通信プロトコルに基づく他の通信ネットワークでも良い。また、ユーザ端末３０及びメールマガジンサーバ４０は、説明の容易性のために各々１つであるとして説明されるが、本発明による検索装置の通常の実施においては、複数のユーザ端末及び複数のメールマガジンサーバが想定される。
【０００７】
ユーザ端末３０は、通常のパーソナルコンピュータ等のコンピュータ端末であれば良く、携帯端末或いは携帯電話であっても良い。ユーザ端末３０は、例えばキーボードからの入力により必要な情報を入力し、その情報をインターネット２０を介して検索装置１０に送信する機能と、検索装置１０からの提供情報を受信し表示する機能と、メールマガジンサーバ４０が配信するメールマガジンを受信し表示する機能を有する。
【０００８】
メールマガジンサーバ４０は、通常のサーバコンピュータ等のコンピュータであり、メールマガジンを作成し、これをインターネット２０を介してユーザ端末３０を含む講読登録者に配信する機能を有する。メールマガジンサーバ４０は、メールマガジン発行者により運用される。
検索装置１０は、ＩＰプロトコルによる通信を可能とする通常のコンピュータにより実現され得る。検索装置１０の構成は、メールマガジンを送受信する通信部１０３と、受信したメールマガジンを所定の単位で分割する分割部１０４と、メールマガジンを蓄積するメールマガジン蓄積部１０９と、新規のメールマガジンを登録する新規登録処理部１１０と、所望のメールマガジンを探索する探索部１２０とからなる。
【０００９】
新規登録処理部１１０は、メールマガジンを登録するメールマガジン登録部１１１と、メールマガジンの更新を検知する更新検知部１１２とから構成されている。探索部１２０は、キーワード検索を行う検索部１２１と、検索された複数のメールマガジンの優先順位をつける優先度演算部１２２とから構成されている。
通信部１０３は、分割部１０４、メールマガジン登録部１１１、更新検知部１１２、検索部１２１及び優先度演算部１２２に接続され、インターネット２０を通じて受信したメールマガジンサーバ４０から送信されたメールマガジンや、ホームページなどの更新情報や、ユーザ端末３０から送信されたキーワードなどのデータを受信し、分割部１０４、更新検知部１１２及び検索部１２１に送信する機能を有する。また優先度演算部１２２での演算結果を受信し、ユーザ端末３０に送信する機能や、メールマガジン登録部１１１の登録処理を受けてメールマガジンサーバ４０に送信する機能と、更新検知部１１２の依願があればホームページの情報を入手する機能とを持つ。
【００１０】
分割部１０４は、通信部１０３、メールマガジン登録部１１１及びメールマガジン蓄積部１０９に接続され、通信部１０３を通じてメールマガジンを受信する機能と、受信したメールマガジンを一定のフォーマットに分割する機能と、ＵＲＬが示すリンク先の情報を入手する機能と、分割結果をメールマガジン登録部１１１及びメールマガジン蓄積部１０９に送信する機能とを有する。
【００１１】
メールマガジン登録部１１１は、通信部１０３、分割部１０４、更新検知部１１２及びメールマガジン蓄積部１０９に接続され、分割郡１０４による分割後のデータと更新検知部１１２による更新情報とを受信し、これらの結果とメールマガジン蓄積部１０９の情報とに基づき新規のメールマガジン登録を通信部１０３を通じて行う機能を有する。
【００１２】
検索部１２１は、通信部１０３、優先度演算部１２２及びメールマガジン蓄積部１０９に接続され、ユーザ端末３０が送信したキーワードなどのデータを通信部１０３を通じて受信する機能と、そのデータを元にメールマガジン蓄積部１０９に対して検索する機能と、その結果を優先度演算部１２２に送信する機能を有する。
【００１３】
優先度演算部１２２は、通信部１０３及び検索部１２１に接続され、検索部１２１の検索結果を受信する機能と、その結果から優先度を決定する機能と、その結果を通信部１０３を通じてユーザ端末３０に送信する機能を有する。
メールマガジン蓄積部１０９は、分割部１０４、検索部１２１及びメールマガジン登録部１１１に接続され、分割部１０４の結果を蓄積する機能と、検索部１２１の依頼に基づきデータを提供する機能と、メールマガジン登録部１１１に現在蓄積されているメールマガジンの情報を提供する機能を有する。メールマガジンの情報としては、メールマガジンの各々を個別に表す固有識別情報と、タイトル、本文、リンク先情報を指示するＵＲＬ及びそのリンク先情報からなる記事とから構成される。固有識別情報としては、通常「ＸＸＸメールマガジン」の如きメールマガジンの名称であるが、メールマガジン発行者のメールアドレスの如きアドレス情報であっても良い。
【００１４】
第１の実施例の動作について図１及び図２を参照して説明する。図２は、検索装置１０の３つ動作フェーズの処理手順を示している。この３つ動作フェーズは、メールマガジンの新規登録フェーズと、メールマガジンの分割及び蓄積フェーズと、メールマガジンの紹介フェーズと、からなる。ここで、メールマガジンサーバ４０で作成されたメールマガジンは、インターネット２０を通して講読登録者の各々に配信される。検索装置１０は、配信されるメールマガジンについて購読登録をしているものとする。
＜新規登録フェーズ＞
メールマガジンの新規登録フェーズの動作を説明する。新規登録フェーズの動作を発生せしめるための情報源として、新作メールマガジン紹介用のメールマガジンとその情報を掲載しているホームページが用いられ得る。
【００１５】
新規登録フェーズを新作メールマガジン紹介用のメールマガジンを利用する場合を説明する。検索装置１０は、メールマガジンサーバ４０で作成された新作メールマガジン紹介用のメールマガジンの購読登録をしているものとする。
先ず、検索装置１０は、通信部１０３を通じて新作メールマガジン紹介用のメールマガジンを受信する（ステップＳ２０１及びＳ２０５）。受信したメールマガジンは、分割部１０４に送信され、分割部１０４では、受信したメールマガジンをタイトル及び本文に分割処理する（ステップＳ２０６）。次いで、該受信したメールマガジンが新作メールマガジンの新作情報であるか否かを判定する（ステップＳ２０７）。もし新作メールマガジンの情報である場合には、メールマガジン登録部１１１に送信する。メールマガジン登録部１１１は、送信された新作メールマガジンの情報とメールマガジン蓄積部１０９に蓄積された情報を比較し、すでに登録されているメールマガジンが未登録のメールマガジンが有るか否かを判断する（ステップＳ２０３）。もし登録されている場合は、ステップＳ２０１に戻る。未登録の場合は、ステップＳ２０４に進み、新規登録処理を行う。
【００１６】
ここで、図３を参照すると、（ａ）には新作メールマガジンの新たな配信を知らせる新作メールマガジン情報の例が示されている。この新作メールマガジン情報は、新作メールマガジンの名称とその登録のためのＵＲＬが１セットになっていることから、名称とＵＲＬとからなる単位で分割されて登録される。尚、新規登録処理は、前述のように自動的に行っても良いし、新規登録を要する旨をシステム管理者等の操作者に通知した後、該操作者がこの新規登録処理を手動にて処理しても良い。
【００１７】
新規登録フェーズを新作メールマガジン情報を掲載しているホームページを利用する場合を説明する。メールマガジンサーバ４０で作成された新作メールマガジンは、新作情報として例えばメールマガジン発行者のホームページに掲載される。該ホームページのＵＲＬは、あらかじめ検索装置１０内に保持されているものとする。
【００１８】
先ず、検索装置１０は、更新検知部１１２により、例えば予め設定された検知のタイミングに応じて（ステップＳ２０１）、新作情報を掲載される前述のＵＲＬに対応するホームページの更新状況を調査して新作メールマガジンに関する記載を検知する（ステップＳ２０２）。そして、更新検知部１１２は、付加された新たに新作メールマガジン情報をメールマガジン登録部１１１に送信する。次いで、メールマガジン登録部１１１は、送信された新作メールマガジンの情報とメールマガジン蓄積部１０９に蓄積された情報を比較し、登録済みのメールマガジンか未登録のメールマガジンか否かを判定する（ステップＳ２０３）。登録済みの場合はステップＳ２０１に戻り再び検知タイミングを監視する。未登録の場合は、付加された新作メールマガジン情報に基づいて当該新規のメールマガジンをメールマガジン蓄積部１０９に蓄積することで登録する（ステップＳ２０４）。
【００１９】
ここで、図３を参照すると、（ｂ）は前回調査時の新作メールマガジン情報を掲載するホームページの例を示し、（ｃ）は今回調査時の同一のアドレスのホームページの例である。（ａ）と（ｂ）の両者を比較すると、”［３］ＣＣＣ的な人たち・・・・”の情報が増えている（図に示される更新部分）と判定されることから新作情報が更新されたことになり、その更新情報と共に更新された部分、即ち、”［３］ＣＣＣ的な人たち”と対応するＵＲＬとがメールマガジン蓄積部１０９に蓄積されて登録される。尚、この新規登録処理は、自動的に行っても良いが、新規登録を要する旨をシステム管理者等の操作者に通知し、この操作者が手動登録してもかまわない。
＜分割及び蓄積フェーズ＞
図１及び図２を再び参照して、メールマガジンの分割及び蓄積フェーズの動作を説明する。
【００２０】
先ず、検索装置１０は、通信部１０３により該メールマガジンを受信する（ステップＳ２０１及びステップＳ２０５）。通信部１０３は、受信したメールマガジンを分割部１０４に送信する。分割部１０４は、該受信したメールマガジンをタイトル及び本文に分割処理する（ステップＳ２０６）。該受信したメールマガジンが新作メールマガジンの情報であるか否かを判定する（ステップＳ２０７）。もし新作メールマガジンの新作情報である場合はステップＳ２０３に進む場合で前述の通りである。新作メールマガジンの情報でない場合、即ち、通常のメールマガジンの配信を受信した場合には、該受信したメールマガジンに含まれるリンク情報、即ち他のＷｅｂページを指示するＵＲＬに基づいて通信部１０３及びインターネット２０を通してリンク先の情報を該ＵＲＬのＷｅｂサイトにアクセスして獲得する（ステップＳ２０８）。次いで、タイトル、本文及びリンク先情報をメールマガジン蓄積部１０９により蓄積処理する（ステップＳ２０９）。
【００２１】
ここで、図４は、分割部１０４及びメールマガジン蓄積部１０９によるメールマガジンの分割及び蓄積の様子を説明している。図４の左側に示される（ａ）は、受信したメールマガジンの例である。このメールマガジンは複数の記事を集めたものである。メールマガジン名はＡＡＡメールマガジン、各記事は点線で区別される。各記事はタイトル、ＵＲＬ及び記事の本文から構成されている。
【００２２】
図４の右側に示される（ｂ）は、（ａ）のメールマガジンが分割された例である。受信されるメールマガジンは、メールマガジン名と、各記事のタイトルと、ＵＲＬと、本文とに分割されて蓄積される。更に、タイトル又は本文に記載されているＵＲＬに基づいたリンク先の情報も分割結果ごとに蓄積される。
＜紹介動作フェーズ＞
再び、図１及び図２を参照して、メールマガジンの紹介の動作フェーズについて説明する。ユーザは、検索要求として希望のメールマガジンを検索するためのキーワードをユーザ端末３０を介して入力する。
【００２３】
先ず、検索装置１０は、このキーワードを通信部１０３を介して受信する（ステップＳ２０１、Ｓ２０５及びＳ２１０）。この際、必要に応じてユーザ端末３０からの検索要求からキーワードを抽出する処理を行う。次いで、これを検索部１２１に送信する。検索部１２１では受信したキーワードなどにより、メールマガジン蓄積部１０９に対してキーワード検索を行い、検索結果は優先度演算部１２２に送信される（ステップＳ２１１）。結果を受けた優先度演算部１２２は検索した結果より、例えばキーワードを含むメールマガジンの多い順に並べるなどの優先度演算を行う（ステップＳ２１２）。次いで、優先順位を付けた結果を基にして、推薦するメールマガジンの名称を通信部２０３を通じてユーザ端末３０に送信する（ステップＳ２１３）。この際に、優先順位を付けた結果の基礎となるメールマガジンの記事の内容を付加して送信しても良い。
【００２４】
終了操作が行われた場合には、検索装置１０は処理を終了する（ステップＳ２１４）。
ここで、図５を参照すると、優先順位を決定する様子が説明されている。左上に図示されるように、ユーザ端末３０が例えば”ＩＰｖ６”というキーワードを入力した場合、検索部１２１はメールマガジン蓄積部１０９に対して検索を実行する。この例では現在、データとして６種類蓄積されており（図５の右側参照）、その中で”ＩＰｖ６”を含むものは、Ｎｏ．１、Ｎｏ．２及びＮｏ．４の３種類である。メールマガジンごとに数を集計すると、”ＡＡＡメールマガジン”が最も多くユーザ端末３０の希望するキーワードを含むメールマガジンであるので、このＡＡＡメールマガジンに関する情報、即ち、メールマガジンの名称「ＡＡＡメールマガジン」がユーザ端末３０に通知される。尚、メールマガジンの名称と共に記事内容やタイトルにおけるキーワードを含む部分を同時に送信されるようにしても良い。
【００２５】
以上のように、第１の実施例においては、複数のメールマガジンに対して、そのメールマガジンごとにユーザの希望するキーワードが記載されている数を調べ、その結果を踏まえ、ユーザの重要な情報源となり得るメールマガジンを紹介する。このとき検索範囲は、メールマガジンのタイトル本文はもちろん、リンク先の内容も検索範囲とする。
【００２６】
従って、ユーザが必要とする情報が掲載されているメールマガジンを紹介できるので、ユーザの情報収集が容易になる。またユーザが必要とする情報がより多く掲載されているメールマガジンを紹介することも可能であるので、より少ないメールマガジンでより多くの必要な情報を得るということも行える。
また、新作メールマガジンの調査も同時に、また自動的に行う機能を備えているので、常に最新のメールマガジンに対して処理を行うことができ、ユーザの希望に対して、常に最新情報で答えることができる。
【００２７】
また、本システムはメールマガジンを記事（例えば、タイトル、ＵＲＬ及び本文）ごとに蓄積する機能も有しているので、紹介通知をする際に基礎となった記事として該当記事のみ、該当タイトルのみで知らせることができるので、メールマガジン全文を知らせる場合に比べて、必要最低限の情報だけを送付することができるので、ユーザが効率よく情報を入手できる。
【００２８】
尚、第１の実施例においては、新作メールマガジンの紹介通知としてメールマガジンの登録ＵＲＬ、即ち講読依頼のためのページのＵＲＬを付加しても良い。また、ユーザの予めの申告により、ユーザが既に講読登録してあるメールマガジン情報を保持することより、該当するメールマガジンを除いて紹介することも可能となる。
＜第２の実施例＞
図６は第２の実施例における検索装置１０’の構成を示している。検索装置１０’は、第１の実施例における検索装置１０（図１参照）と同一の構成を含み、同じものについては同一の参照符号を付して説明を省略する。第２の実施例における検索装置１０’は、キーワード集計部１０６とキーワード蓄積部１０７を更に含む。又、第２の実施例における通信部１０３’は、分割部１０４、メールマガジン登録部１１１、更新検知部１１２、検索部１２１、優先度演算部１２２に接続されると共に、更に、キーワード集計部１０６及びキーワード蓄積部１０７に接続される。通信部１０３’は、第１の実施例で説明した以外の機能として、ユーザ端末３０から受信したキーワードなどの情報を検索部１２１と共にキーワード蓄積部１０７にも送信する機能と、メールマガジンサーバ４０などから受信したキーワード集計依頼をキーワード集計部１０６に送信する機能を有する。
【００２９】
キーワード集計部１０６は、通信部１０３’及びキーワード蓄積部１０７に接続され、通信部１０３’を通じて受信したメールマガジンサーバ４０などからのキーワード集計依頼を受信する機能と、キーワード蓄積部１０７に蓄積されているキーワードデータを集計する機能と、その結果を通信部１０３’を通じて集計依頼者、例えばメールマガジンサーバ４０に送信する機能を有する。
【００３０】
キーワード蓄積部１０７は、通信部１０３’及びキーワード集計部１０６に接続され、ユーザ端末３０から通信部１０３’を通じて受信したキーワードを蓄積する機能と、キーワード集計部１０６の依頼に応じて蓄積データを送信する機能を有する。
＜第２の実施例の動作の説明＞
第２の実施例の動作について図６及び図７を参照して説明する。第２の実施例における動作は、第１の実施例における３つ動作フェーズ、即ち、メールマガジンの分割及び蓄積フェーズと、メールマガジンの新規登録フェーズと、メールマガジンの紹介フェーズと、において動作すると共に、更に、キーワードを蓄積及び集計処理の動作フェーズを有する。第１の実施例に追加されるキーワードを蓄積及び集計処理の動作フェーズについて説明し、その他の動作の説明は省略する。
【００３１】
先ず、検索装置１０’は、通信部１０３’によりユーザ端末３０からキーワードを受信する（ステップＳ７０１）、次いで、このキーワードをキーワード蓄積部１０７に蓄積する（ステップＳ７０２）。この蓄積においては、蓄積されるキーワードと共に、受け付けた時刻情報、ユーザＩＤ等のユーザ情報が管理のために併せて蓄積されても良い。
【００３２】
一方、検索装置１０’は、メールマガジンサーバ４０から集計依頼を通信部１０３’で受けた場合（ステップＳ７０３）、キーワード集計部１０６において集計処理を行う（ステップＳ７０４）。集計処理は、例えば、過去１週間に問い合わせのあったキーワードの数の多い順に並べる等の処理を含む。この場合、ユーザ端末３０から受信されるキーワードの各々に付された入力日時情報に基づいて、集計依頼に含まれる指定期間について集計することとしても良い。
【００３３】
次に、検索装置１０’は、この集計処理結果のすべて若しくは一部、即ち、集計結果を通信部１０３’を通じてメールマガジンサーバ４０に送付する（ステップＳ７０５）。尚、終了操作が行われた場合には処理を終了する（ステップＳ７０６）。
以上のように第２の実施例においては、ユーザが問い合わせを行ったキーワードの集計情報が蓄積され得る。この集計情報は、メールマガジンサーバ４０の利用者、即ち、メールマガジン発行者により活用されることが期待される。メールマガジン発行者は、この集計情報により、ユーザが今必要な情報をより多く且つより深く分析することが可能となり、新作メールマガジンの作成或いは既存メールマガジンの内容検討にこれを反映することができる。
【００３４】
尚、第２の実施例においては、メールマガジン発行者の集計依頼に応じて、集計したキーワードを送信するという形態が示されたが、一定間隔で自動的にメールマガジン発行者に集計したキーワードを送信する形態も可能である。
以上の実施例の説明において、メールマガジン蓄積部もしくはキーワード蓄積部は、検索装置の１つの構造に集中して実装される例が示されたが、これら蓄積部の各々は、インターネット等のネットワークに分散配置され、これら蓄積部に対して検索、集計などの処理がなされても良い。尚、メールマガジンの用語は、電子メールを媒体として多数の講読者に情報を伝達する形態における情報伝達手段を意味し、この用語に限定されずメールニュース等の用語で行われる形態も当然に含まれるものとする。
【００３５】
【発明の効果】
以上のように、本発明による検索装置によれば、ユーザの希望に適合するメールマガジンがリンク先を含む広い範囲から検索され、且つ優先的に推薦されるメールマガジンの名称が提供される。これにより、ユーザはより容易に且つ十全に所望のメールマガジンを検索し得る。
【図面の簡単な説明】
【図１】第１の実施例の構成を示しているブロック図である。
【図２】第１の実施例の動作を示しているフローチャートである。
【図３】新作メールマガジン情報の例を示している図である。
【図４】メールマガジンの分割の様子を説明する図である。
【図５】メールマガジンの紹介の例を示している図である。
【図６】第２の実施例の構成を示しているブロック図である。
【図７】第２の実施例の動作を示しているフローチャートである。
【符号の説明】
１０、１０’検索装置
２０  インターネット
３０  ユーザ端末
４０  メールマガジンサーバ
１０３、１０３’  通信部
１０４  分割部
１０６  キーワード集計部
１０７  キーワード蓄積部
１０９  メールマガジン蓄積部
１１０  新規登録処理部
１１１  メールマガジン登録部
１１２  更新検知部
１２０  探索部
１２１  検索部
１２２  優先度演算部
【図１】
2004234341.tif 000003
【図２】
2004234341.tif 000004
【図３】
2004234341.tif 000005
【図４】
2004234341.tif 000006
【図５】
2004234341.tif 000007
【図６】
2004234341.tif 000008
【図７】
2004234341.tif 000009